(57)【特許請求の範囲】
【請求項１】
番組信号を受信する第１の受信部と、
前記第１の受信部で受信中の番組信号を第１の記録媒体に記録する記録部と、
前記第１の受信部で受信中の番組信号とは異なるチャンネルの番組信号を受信する第２の受信部と、
前記第２の受信部で受信中の番組信号を第２の記録媒体に記録すると共に、前記第２の記録媒体に記録中の番組信号の記録済み部分を再生する同時記録再生を行う記録再生部と、
少なくとも２つの番組の録画予約を受け付ける予約受付部とを備え、
前記予約受付部を介して、同一時間帯に放送される相異なる第１及び第２の番組信号を前記第１の記録媒体に記録するよう録画予約した際に、前記第１の受信部が受信する前記第１の番組信号を前記記録部で記録する一方、前記第２の受信部が受信する前記第２の番組信号を前記記録再生部で記録し、前記記録部における前記第１の番組信号の記録完了に伴い前記記録再生部から前記第２の番組信号の記録済み部分を再生させ、前記記録部において前記第１の番組信号の記録完了に引き続き、前記第２の番組信号を記録させるようにしたことを特徴とする番組信号記録再生装置。
【請求項２】
前記記録部において前記第１の番組信号の記録完了に引き続き、前記第２の番組信号を記録させ、前記記録部における前記第２の番組信号の記録完了に伴い、前記記録再生部における前記第２の番組信号自体または前記第２の番組信号の再生に必要な管理情報を削除したことを特徴とする請求項１記載の番組信号記録再生装置。
【発明の詳細な説明】
【０００１】
【発明の属する技術分野】
本発明は、ハードディスク等、記録再生のデータレートが高い記録媒体を用いて番組信号を記録再生する記録再生部と、磁気テープや光ディスク等、記録再生のデータレートが低い記録媒体を用いて番組信号を記録する記録再生部とを備え、録画予約された番組をこれらの記録媒体に記録する番組信号記録再生装置に関する。
【０００２】
【従来の技術】
従来より、番組信号を記録再生するための記録再生装置として、磁気テープに映像音声信号を記録するビデオテープレコーダが知られている。このような記録再生装置は、リムーバブルな記録媒体を用いて映像音声信号を記録するため、記録媒体の入れ替えにより、多数の番組を記録することができるという特徴を有する。
【０００３】
これに対し、ハードディスクを記録媒体として、番組信号の記録及び再生を行う装置が知られている。このような装置は、プライベートビデオレコーダ（以下、ＰＶＲと記す）と呼ばれ、番組信号の記録と再生とを同時に行う同時記録再生を実現できる（実際は、記録動作と再生動作と素早く切り替えて時分割で処理している）という特徴を有する。従って、現在録画中の番組を番組の先頭部分から再生する追いかけ再生も可能となる。しかしながら、このような記録再生装置は、リムーバブルでない記録媒体に番組信号を記録するため、番組の記録時間に対する制約がある。
【０００４】
そこで、最近では、磁気テープの如くリムーバブルな記録媒体に番組信号を記録する記録再生装置と、ハードディスクの如くリムーバブルでない記録媒体に番組信号を記録する記録再生装置とを組み合わせた複合型の番組信号記録再生装置が登場している。そして、このような複合型の番組信号記録再生装置においては、保存を目的として番組を記録する際には、磁気テープ等のリムーバブルな記録媒体に記録し、１回の視聴のみでその後は削除する予定の番組を記録する際には、ハードディスク等のリムーバブルでない記録媒体に記録するといった利用方法が考えられる。
【０００５】
【発明が解決しようとする課題】
ところが、このような複合型の番組信号記録再生装置は、番組を記録する際に、リムーバブルな記録媒体に記録を行うか、リムーバブルでない記録媒体に記録を行うかを選択するものであるため、同一時間帯に放送される２つの番組を同時に記録することができなかった。
【０００６】
特に、リムーバブルな記録媒体は、磁気テープや光ディスク等、記録再生のデータレートが低い記録媒体である事が多いため、記録したい２つの番組のデータレートを加算すると、このリムーバブルな記録媒体のデータ記録レートを越えてしまう場合も多く、このような場合には、仮に、リムーバブルな記録媒体を用いて記録再生を行う記録再生部に、２つの番組の番組信号を同時に供給する構成を備えていたとしても、これらの番組をリムーバブルな記録媒体に記録できないといった問題があった。
【０００７】
本発明は、これらの問題点に鑑みなされたものであり、同一時間帯に放送される２つの番組を同時に記録することができる番組信号記録再生装置を提供することを目的とし、更に、２つの番組のデータレートの加算値よりもデータ記録レートが低い記録媒体に対しても２つの番組の記録を可能にする番組信号記録再生装置を提供することを目的とする。
【０００８】
【課題を解決するための手段】
以上の課題を解決するために、本発明に係る番組信号記録再生装置は、
番組信号を受信する第１の受信部（４）と、
前記第１の受信部（４）で受信中の番組信号を第１の記録媒体に記録する記録部（７）と、
前記第１の受信部（４）で受信中の番組信号とは異なるチャンネルの番組信号を受信する第２の受信部（１）と、
前記第２の受信部（１）で受信中の番組信号を第２の記録媒体に記録すると共に、前記第２の記録媒体に記録中の番組信号の記録済み部分を再生する同時記録再生を行う記録再生部（３）と、
少なくとも２つの番組の録画予約を受け付ける予約受付部（１１）とを備え、
前記予約受付部（１１）を介して、同一時間帯に放送される相異なる第１及び第２の番組信号を前記第１の記録媒体に記録するよう録画予約した際に、前記第１の受信部（４）が受信する前記第１の番組信号を前記記録部（７）で記録する一方、前記第２の受信部（１）が受信する前記第２の番組信号を前記記録再生部（３）で記録し、前記記録部（７）における前記第１の番組信号の記録完了に伴い前記記録再生部（３）から前記第２の番組信号の記録済み部分を再生させ、前記記録部（７）において前記第１の番組信号の記録完了に引き続き、前記第２の番組信号を記録させるようにしたことを特徴とするものである。
【０００９】
また、本発明に係る番組信号記録再生装置は、
前記記録部（７）において前記第１の番組信号の記録完了に引き続き、前記第２の番組信号を記録させ、前記記録部（７）における前記第２の番組信号の記録完了に伴い、前記記録再生部（３）における前記第２の番組信号自体または前記第２の番組信号の再生に必要な管理情報を削除したことを特徴とするものである。
【００１０】
【発明の実施の形態】
以下、本発明の実施の形態につき、好ましい実施例により詳細に説明する。
図１は、本発明の実施例に係る番組信号記録再生装置を説明するための図であり、１は図示しないアンテナ又は伝送路を介して入来する放送を受信する第１のチューナ、２は第１のチューナ１で受信した番組信号にＭＰＥＧ方式等の圧縮処理を施す第１のエンコーダ、３は第１のエンコーダ２の出力する番組信号をリムーバブルでなく、且つ記録再生のデータレートが高いハードディスク等からなる記録媒体に記録すると共に、この番組信号の再生を行う第１の記録再生部である。
【００１１】
また、４は図示しないアンテナ又は伝送路を介して入来する放送を受信する第２のチューナ、５は第２のチューナ４で受信した番組信号にＭＰＥＧ方式等の圧縮処理を施す第２のエンコーダ、６は記録再生部３から再生される番組信号または第２のエンコーダ５の出力する番組信号の何れか一方を選択的に出力する第１の選択出力部、７は第１の選択出力部６が出力する番組信号をリムーバブルで、且つ記録再生のデータレートが低い磁気テープまたは光ディスク等からなる記録媒体に記録し、この番組信号の再生を行う第２の記録再生部である。
【００１２】
また、８は第１の記録再生部３から再生される番組信号または第２の記録再生部７から再生される番組信号の何れか一方を選択的に出力する第２の選択出力部、９は第２の選択出力部８から出力される番組信号にＭＰＥＧ方式等の伸長処理を施して出力するデコーダ、１０はデコーダ９の出力する番組信号に、機器の動作状態等の情報を重畳して出力するオンスクリーンディスプレイ（ＯＳＤ）である。
【００１３】
また、１１は録画予約の指示等を含む使用者の指示を入力するための操作部、１２は操作部１１からの指示信号又は装置内の各部の動作状態に応じて、装置内の各部の動作を制御するＣＰＵである。なお、この操作部１１は本番組信号記録再生装置の前面パネルに設けても良いし、またリモコン送信器等、他の場所に設けても良い。
【００１４】
以下、実施例に係る番組信号記録再生装置の動作について説明するが、ここでは、第２の記録再生部７に放送時間帯が一致している２つの番組を記録する際の動作を説明する。また、ここでは、図２で示す如く２つの番組の放送時間帯の一部のみが一致している場合について説明するが、例えば、２つの番組の開始時刻と終了時刻とが同一である番組であっても、また、一方の番組の放送中に他方の番組の開始時刻と終了時刻とが存在する場合であっても構わない。
【００１５】
図３は、図２に示す２つの番組を録画予約し、この２つの番組を第２の記録再生部７で記録する際の動作を説明するための流れ図である。まず、使用者が操作部１１を介して、２つの番組の録画予約を行うと、この情報がＣＰＵ１２に接続される図示しないメモリに蓄えられる。そして、図示しない装置内のシステム時計が録画予約した１つ目の番組（ＰＧ１）の開始時刻、つまり７時になると第２のチューナ４が１つ目の番組のチャンネルに同調し、第１の選択出力部６は、第２のエンコーダ５が出力する番組信号を第２の記録再生部７に選択出力する。
【００１６】
そして、１つ目の番組が第２の記録再生部７で記録される（Ｆ１０２）。その際、第２の記録再生部７は、第１の選択出力部６からの番組信号を磁気テープまたは光ディスク等の記録媒体に記録すると同時に、この番組信号を第２の選択出力部８にも出力しており、第２の選択出力部８は、第２の記録再生部７からの番組を選択出力する。従って、オンスクリーンディスプレイ１０は、その時、第２のチューナ４が同調しているチャンネルの番組を出力する。
【００１７】
このように、１つ目の番組の開始時刻になると１つ目の番組の記録が第２の記録再生部７で開始されるが、その後、１つ目の番組の終了時刻または２つ目の番組の開始時刻となるまでの間は、Ｆ１０３とＦ１０４とで形成されるループを繰り返すことになる。そして、２つ目の番組の記録開始前に、１つ目の番組の記録が終了となった場合には、Ｆ１０３でＹとなり、第２の記録再生部７での記録を終了する。
【００１８】
一方、１つ目の番組の記録終了前に、２つ目の番組の記録開始となった場合には、Ｆ１０４でＹとなり、２つ目の番組の記録が第１の記録再生部３で開始される（Ｆ１０５）。なお、その際、第１のチューナ１が２つ目の番組のチャンネルに同調し、第１の記録再生部３は、この第１のチューナ１が同調した２つ目の番組の記録を行う。また、第２の選択出力部８は、第２の記録再生部７からの番組を出力し続けるが、オンスクリーンディスプレイ１０はデコーダ９からの番組信号に、例えば、”重複録画中”との文字を重畳して出力する。
【００１９】
このように、図２で示す８時になると、第２の記録再生部７における１つ目の番組の記録を継続しつつ、第１の記録再生部３において２つ目の番組の記録を開始する。そして、１つ目の番組の終了時刻、つまり８時３０分になるとＦ１０６でＹとなり、第２の記録再生部７における１つ目の番組の記録を終了した上で、第１の記録再生部３に記録されている２つ目の番組の第２の記録再生部７へのコピーを開始する（Ｆ１０７）。
【００２０】
その際、第１の記録再生部３は、１つ目の番組の先頭部分から再生を開始し、第１の選択出力部６は、第１の記録再生部３からの番組信号を第２の記録再生部７に選択出力し、第２の記録再生部７は、第１の選択出力部６からの番組信号の記録を開始する。その時、第１の記録再生部３は、第１の記録再生部３における２つ目の番組の記録が終了しているか否かに拘わらず、２つ目の番組の先頭部分から再生を開始する。また、第２の選択出力部８は、第２の記録再生部７からの番組を出力し続けるが、オンスクリーンディスプレイ１０はデコーダ９からの番組信号に、例えば、”番組コピー中”との文字を重畳して出力する。
【００２１】
そして、２つ目の番組の第１の記録再生部３から第２の記録再生部７へのコピーが完了すると（Ｆ１０８）、第１の記録再生部３において、２つ目の番組が削除され（Ｆ１０９）、１つ目及び２つ目の番組の記録動作を終了する。なお、このように２つ目の番組の番組信号自体を削除しなくても、例えば、この２つ目の番組の再生に必要な管理情報のみを削除し、この番組が再生できない状態としても良い。また、この２つ目の番組が再生できない状態となるのであれば、他の方法であっても構わない。
【００２２】
以上のように、同一時間帯に放送される２つの番組を第２の記録再生部７で記録する際には、まず１つ目の番組を第２の記録再生部７で記録すると共に、２つ目の番組を第１の記録再生部３で記録し、１つ目の番組の記録完了に引き続き、第１の記録再生部３からのコピーによって２つ目の番組の記録が行われるため、同一時間帯に放送されているにも拘わらず、これらの番組を第２の記録再生部７で記録することが可能となる。
【００２３】
また、第１の記録再生部３は、２つ目の番組の記録が完了する前にこの番組の先頭部分からの再生を開始できるため、２つの番組の記録を行う際に無駄な時間が発生せず、短時間で記録を完了することが可能となる。
【００２４】
また、以上の実施例では、２つのチューナと２つのエンコーダを搭載した例を示したが、例えば、ＭＰＥＧ方式で既に圧縮されている番組信号を外部機器から受信するＩＥＥＥ１３９４に準拠したインターフェース（受信部）を用いれば、第１及び第２の記録再生部３及び７では、この受信部からの番組信号をそのまま記録することができるため、チューナ及びエンコーダの搭載数を削減することも可能である。
【００２５】
また、第１の記録再生部３は、エンコーダの出力する番組信号のデータレートに対して、記録再生のデータレートが充分高いため、第１のエンコーダ２の出力と、第２のエンコーダ５の出力とを第１の記録再生部３に接続すれば、第１の記録再生部３のみを用いて、同一時間帯に放送される２つの番組を同時に記録できることは言うまでもない。
【００２６】
また、以上の実施例では、第１の選択出力部６が出力する番組信号を第２の記録再生部７で記録させた例を示したが、例えば、再生機能を備えない単なる記録部によって第１の選択出力部６の出力を記録させても良いことは言うまでもない。また、以上の実施例では、第１の記録再生部３における記録媒体として、ハードディスクを例にあげたが、記録再生のデータレートが充分に高い記録媒体であれば、例えば、半導体メモリ、またはその他の記録媒体であっても構わない。
【００２７】
【発明の効果】
請求項１に記載の発明によれば、１つ目の番組を記録部で記録すると共に、２つ目の番組を記録再生部で記録し、１つ目の番組の記録完了に引き続き、記録再生部３からのコピーによって２つ目の番組の記録が行われるため、２つの番組が同一時間帯に放送されているにも拘わらず、これらの番組を第２の記録再生部７で記録することが可能となる。
【００２８】
また、記録部において、１つ目の番組と２つ目の番組とは、異なる時間帯に記録が行われるため、仮に、１つ目の番組と２つ目の番組のデータレートの加算値が記録部におけるデータ記録レートを越えていたとしても、これら２つの番組を問題なく記録できる。
【００２９】
また、請求項２に係る発明によれば、２つ目の番組のコピー完了に伴い、記録再生部から２つ目の番組が消去されるため、煩わしい操作を必要とすることなく、これらの番組を記録することができる。
【図面の簡単な説明】
【図１】本発明の実施例に係る番組信号記録再生装置を説明するためのブロック図である。
【図２】録画予約された２つの番組の時間間隔を説明するための図である。
【図３】録画予約された２つの番組を第２の記録再生部７で記録する際の動作を説明するための流れ図である。
【符号の説明】
１、４…チューナ
２、５…エンコーダ
３、７…記録再生部
６、８…選択出力部
９…デコーダ
１０…オンスクリーンディスプレイ
１１…操作部
１２…ＣＰＵ
【図１】
0003750847.tif 000002
【図２】
0003750847.tif 000003
【図３】
0003750847.tif 000004